(57)【要約】【課題】  低コストに製作でき、かつ、効率的に動物の食害を防止する食害防止装置を提供する。【解決手段】  本実施形態に係る食害防止装置１は、可撓性を有し、筒状に成形したシート材３０と、筒状に成形したシート材の少なくとも一方の端部に設けられ、筒軸方向と同じ方向の切込み部分をシート材３０の周方向に複数備えた下端部３４と、筒状に成形したシート材３０の他方の端部に設けられ、筒軸方向と同じ方向の切込み部分をシート材３０の周方向に複数備えた上端部３８とを含み構成されている。シート材３０は、植物の外側を覆うよう植物と離間して配置され、シート材３０の側壁面には、動物の鼻口部分が入り込まない大きさの貫通孔を複数設けられている。また、下端部３４は、筒状のシート材３０の内側から外側の方向に撓ませた状態で設置面に配置され、上端部３８は、筒状のシート材３０の内側から外側の方向に撓むよう配置されている。【選択図】図１
2017205075.tif 000002
【特許請求の範囲】
【請求項１】
動物による植物の食害を防止する食害防止装置であって、
可撓性を有し、筒状に成形したシート材と、
筒状に成形した前記シート材の少なくとも一方の端部に設けられ、筒軸方向と同じ方向の切込み部分を該シート材の周方向に複数備えた第１の端部と
を有し、
前記シート材は、植物の外側を覆うよう植物と離間して配置され、
前記シート材の側壁面には、動物の鼻口部分が入り込まない大きさ、又は、動物の鼻口部分が入り込んだ状態で口が開かない大きさの貫通孔を複数設けられている
食害防止装置。
【請求項２】
筒状に成形した前記シート材の他方の端部に設けられ、筒軸方向と同じ方向の切込み部分を該シート材の周方向に複数備えた第２の端部
をさらに有し、
前記第１の端部は、筒状の前記シート材の内側から外側の方向に撓ませた状態で設置面に配置され、
前記第２の端部は、筒状の前記シート材の内側から外側の方向に撓むよう配置されている
請求項１に記載の食害防止装置。
【請求項３】
前記シート材は、合成樹脂で構成された網材であり、可撓性を有する複数本の線状を複数回ねじり合せて構成され、
前記第１の端部、及び、前記第２の端部は、撓む方向と、複数本の線状を複数回ねじり合せたねじり部分の軸方向とが同じ方向となるよう構成されている
請求項２に記載の食害防止装置。
【請求項４】
前記シート材の側面の一部に設けられ、電流が流れる材料で構成された導電性部材
をさらに有し、
前記導電性部材は、電気的に接続された電源装置から電圧を印加され、
前記シート材は、電流が流れにくい材料で構成されている
請求項３に記載の食害防止装置。
【請求項５】
筒状に成形した前記シート材と植物との間に配置され、該シート材と植物とを離間させる間隔材
をさらに有し、
前記間隔材は、弾性のある材料により構成されている
請求項４に記載の食害防止装置。
【請求項６】
動物による植物の食害を防止する食害防止装置の設置方法であって、
植物の外側を覆うよう植物と離間して網材を筒状に成形する工程と、
前記網材の少なくとも一方の端部に、筒軸方向と同じ方向の切込みを入れる工程と、
植物と離間して筒状にした網材を設置面に配置する工程と
を有する設置方法。
【請求項７】
筒状に成形した網材を設置面に配置したあとに、
網材の側面の一部に設けられた、電流が流れる材料で構成された導電性部材と電源装置とを電気的に接続し、該導電性部材に電圧を印加する工程
をさらに有する
請求項６に記載の設置方法。
【発明の詳細な説明】
【技術分野】
【０００１】
本発明は、食害防止装置、及び、設置方法に関するものである。
【背景技術】
【０００２】
例えば、特許文献１には、網目の大きさが１〜３ｃｍである合成樹脂製単糸ネットからなるシート状部材の端縁同士を固着して、筒状に形成することにより、樹木の周囲を取り囲むようにするとともに、樹木に沿って自立するようにしたことを特徴とする合成樹脂製樹木保護部材が開示されている。
【０００３】
また、特許文献２には、樹木の幹に巻き、動物が樹木の樹皮を食するのを抑制することのできる大きさの網目を有する合成樹脂製の食害防止用ネットが開示されている。
【先行技術文献】
【特許文献】
【０００４】
【特許文献１】特開２０００−４６９４号公報
【特許文献２】特開２００１−２１１７６４号公報
【発明の概要】
【発明が解決しようとする課題】
【０００５】
本発明は、低コストに製作でき、かつ、効率的に動物の食害を防止する食害防止装置を提供することを目的とする。
【課題を解決するための手段】
【０００６】
本発明に係る食害防止装置は、動物による植物の食害を防止する食害防止装置であって、可撓性を有し、筒状に成形したシート材と、筒状に成形した前記シート材の少なくとも一方の端部に設けられ、筒軸方向と同じ方向の切込み部分を該シート材の周方向に複数備えた第１の端部とを有し、前記シート材は、植物の外側を覆うよう植物と離間して配置され、前記シート材の側壁面には、動物の鼻口部分が入り込まない大きさ、又は、動物の鼻口部分が入り込んだ状態で口が開かない大きさの貫通孔を複数設けられている。
【０００７】
好適には、筒状に成形した前記シート材の他方の端部に設けられ、筒軸方向と同じ方向の切込み部分を該シート材の周方向に複数備えた第２の端部をさらに有し、前記第１の端部は、筒状の前記シート材の内側から外側の方向に撓ませた状態で設置面に配置され、前記第２の端部は、筒状の前記シート材の内側から外側の方向に撓むよう配置されている。
【０００８】
好適には、前記シート材は、合成樹脂で構成された網材であり、可撓性を有する複数本の線状を複数回ねじり合せて構成され、前記第１の端部、及び、前記第２の端部は、撓む方向と、複数本の線状を複数回ねじり合せたねじり部分の軸方向とが同じ方向となるよう構成されている。
【０００９】
好適には、前記シート材の側面の一部に設けられ、電流が流れる材料で構成された導電性部材をさらに有し、前記導電性部材は、電気的に接続された電源装置から電圧を印加され、前記シート材は、電流が流れにくい材料で構成されている。
【００１０】
好適には、筒状に成形した前記シート材と植物との間に配置され、該シート材と植物とを離間させる間隔材をさらに有し、前記間隔材は、弾性のある材料により構成されている。
【００１１】
また、本発明に係る設置方法は、動物による植物の食害を防止する食害防止装置の設置方法であって、網材を筒状にする工程と前記網材の少なくとも一方の端部に、筒軸方向と同じ方向の切込みを入れる工程と、筒状に成形した前記シート材の切込みを備えた端部を、網材の内側から外側の方向に撓ませた状態で設置面に配置する工程とを有する。
【００１２】
好適には、筒状に成形した網材を設置面に配置したあとに、網材の側面の一部に設けられた、電流が流れる材料で構成された導電性部材と電源装置とを電気的に接続し、該導電性部材に電圧を印加する工程をさらに有する。
【発明の効果】
【００１３】
本発明によれば、低コストに製作でき、かつ、効率的に動物の食害を防止することができる。
【図面の簡単な説明】
【００１４】
【図１】実施例１における食害防止装置１の構成を説明する斜視図である。
【図２】図１に例示する食害防止装置１の拡大図および断面図である。
【図３】実施例１における食害防止装置１の設置方法（Ｓ１０）を説明するフローチャートである。
【図４】実施例１における食害防止装置１の作用を説明する図である。
【図５】実施例２における食害防止装置２の構成を説明する斜視図である。
【図６】実施例２における食害防止装置２の設置方法（Ｓ２０）を説明するフローチャートである。
【図７】実施例３における食害防止装置３の構成を説明する図である。
【図８】実施例３における食害防止装置３の作用を説明する図である。
【発明を実施するための形態】
【００１５】
以下、本発明に係る実施形態を、図面を参照して説明する。ただし、本発明の範囲は、図示例に限定されるものではない。
［実施例１］
まず、実施例１の食害防止装置１の構成を説明する。
図１は、実施例１における食害防止装置１の構成を説明する斜視図である。
図２は、図１に例示する食害防止装置１の拡大図および断面図であり、図２（Ａ）はＡ部拡大図であり、図２（Ｂ）はＢ−Ｂ線断面図である。
図１及び図２に例示するように、食害防止装置１は、例えば、野生動物１００による樹木（ヒノキやスギ等）の食害（例えば、樹木の剥皮等）、または、果樹（林檎や柿等）の食害を防ぐために設置される。食害防止装置１は、例えば樹木である植物１５０の外側を覆うよう植物と離間して、移動自在に配置されている。野生動物１００とは、例えば、クマ、シカ、イノシシ、または、サル等である。
食害防止装置１は、シート材３０、下端部３４、切込部３５、上端部３８、切込部３９、及び、結束部５０を含み構成されている。
【００１６】
［シート材３０］
図１及び図２に例示するように、シート材３０は、可撓性するシート材であり、筒状に成形されている。シート材３０は、筒状に成形可能な可撓性を有するシート材であるならばとくに限定しないが、例えば、網状シート材、格子状シート材、穴なしシート材、または、穴あき状シート材である。また、シート材３０は、金属製、又は、合成樹脂製であり、適宜選択することができる。シート材３０は、金属製である場合、例えばパンチングメタル、ワイヤーメッシュ、又は、金網（フェンス）である。また、シート材３０は、金属製の金網（フェンス）である場合、合成樹脂材である例えばポリエチレン樹脂を被覆し構成してもよい。シート材３０は、ポリエチレン樹脂を被覆することにより、耐食性、耐磨耗性、又は、耐候性を向上させることが期待できる。
また、シート材３０は、合成樹脂製である場合、例えば網材（ネット材）である。なお、本実施例１のシート材３０は、合成樹脂製の網状シート材であり、可撓性を有する複数本の線状を複数回ねじり合せて構成されている。この網状シート材は、手の力で撓ませ、手を離すと撓ませる前の形状に復元する硬さの線条を複数本ねじり合わせて構成れている。また、網状シート材は合成樹脂で形成されるため、金属製に比べて重量も軽く、丸めて人力で持ち運ぶこともできる。また、網状シート材は、金属のように、錆等の腐食が生じないため耐久性に優れている。
【００１７】
また、図１及び図２（Ａ）に例示するように、シート材３０は、多角形状の網目を備えた網である。多角形状とは、例えば四角形、又は、六角形の形状である。なお、本実施例１のシート材３０の網目形状は、六角形の網目である。シート材３０は、複数本の線条を複数回ねじり合わせたねじり部分であるねじり３１を設けることにより、六角形の網目を備えている。ねじり３１とは、例えば２本以上の線条をねじり合わせて構成された部分であり、１つのねじり３１において線条が交差する部分を３つ以上備えている。これにより、ねじり３１は、ねじり合わせた部分を連なるよう構成するため、ねじり３１の軸方向に撓ませても撓ませた状態から撓ませる前の状態に復元する高い復元力を備えることができる。また、シート材３０は、網目のうち、対向する一対の辺となる位置にねじり３１を備える網目であるならば、四角形、又は、八角形の網目であってもよい。なお、本実施例１のシート材３０は、例えば粕谷製網株式会社製の高耐久ＳＴＫネットである。
【００１８】
また、図１及び図２（Ａ）に例示するように、シート材３０の側壁面には、野生動物１００の鼻口部分が入り込まない大きさ、又は、野生動物１００の鼻口部分が入り込んでも口が開かない大きさの貫通孔を複数設けられている。なお本実施例１のシート材３０に設けられた網目は、筒状のシート材３０のシート面全体の網目の大きさが野生動物１００の鼻口部分が入り込まない、又は、通らない大きさに形成されている。ここで、野生動物１００の大きさ網目の大きさ（Ｄ寸法）は、例えば３ｃｍ以上の大きさであり、好ましくは、網目の大きさが４ｃｍ以上８ｃｍ以下の大きさである。具体的には、野生動物１００がクマである場合、網目の大きさ（Ｄ寸法）は、例えば４ｃｍ以上６ｃｍ以下の大きさである。また、野生動物１００がシカである場合、網目の大きさ（Ｄ寸法）は、例えば４ｃｍ以上８ｃｍ以下の大きさである。
また、シート材３０の太さは、野生動物１００によってかみ切れない太さの線条で構成されている。具体的には、シート材３０の線条の太さは、２ｍｍ〜４ｍｍである。なお、本実施例のシート材３０の線条の太さは、２．５ｍｍ〜３ｍｍである。
【００１９】
また、図１に例示するように、シート材３０は、植物１５０の外側を覆うよう配置され、かつ、植物１５０と離間して移動可能に配置されている。シート材３０は、植物１５０の外側を覆うよう筒状に配置する場合、ねじり３１の軸方向と筒状にしたシート材３０の筒軸方向とが同じ方向となるよう配置されている。言い換えると、シート材３０は、ねじり３１の軸方向と筒状にしたシート材３０の周方向とが直交するよう配置されている。
また、シート材３０は、植物１５０と既定の間隔離間するよう配置されている。具体的には、図２（Ｂ）に例示するように、植物１５０の外側を覆った状態において、シート材３０と植物１５０と離間する既定の間隔（Ｚ寸法）は、例えば、１ｃｍ以上１５ｃｍ以下であり、好ましくは、５ｃｍ以上１２ｃｍ以下である。シート材３０は、植物と接触しないよう移動可能に植物の外側に配置されることにより、植物の生長に伴う幹の拡大を妨げることなく配置することができる。
【００２０】
［下端部３４、及び、上端部３８］
また、図１に例示するように、シート材３０は、筒状に成形したシート材３０の少なくとも一方の端部に、周方向に複数備えた切込み部分を備えている。本実施例１のシート材３０は、筒状に成形したシート材３０両端部それぞれに、切込部３５及び切込部３９を備えている。
【００２１】
［下端部３４］
下端部３４は、筒状に成形したシート材３０の一方の端部であり、周方向に切込部３５を複数設けられている。切込部３５は、ねじり３１の軸方向と同じ方向に設けられている。また、切込部３５の切込量、及び、シート材３０の周方向に設ける切込部３５の数は、適宜変更することができる。
切込部３５によって分割された下端部３４は、筒状に成形したシート材３０の内側から外側の方向に撓ませた状態で、設置面に配置される。言い換えると、下端部３４は、ねじり３１の軸方向と撓む方向とが同じ方向となるよう撓ませた状態で、設置面に配置される。これにより、シート材３０は、設置面の凹凸に沿うように下端部３４を配置することができる。下端部３４は、部分的に設置面から浮き上がることなく配置することができるため、野生動物１００がシート材３０と設置面との間に潜り込むことを防止することができる。また、下端部３４は、設置面に配置し固定用アンカー（不図示）を用いて固定されてもよい。
また、下端部３４は、部分的に設置面から浮き上がることなく設置面に配置されることにより、野生動物１００に下端部３４を踏ませてシート材３０の移動を防止することができる。これにより、野生動物１００は、植物１５０に近づくことができない。
また、野生動物１００の足元を凹凸状にすることで忌避させることが期待することができる。
なお、下端部３４は、本発明に係る第１のシート材の一例である。
【００２２】
［上端部３８］
上端部３８は、筒状に成形したシート材３０の他方の端部であり、周方向に切込部３９を複数備えている。切込部３９は、ねじり３１の軸方向と同じ方向に設けられている。また、切込部３９の切込量、及び、シート材３０の周方向に設ける切込部３９の数は、適宜変更することができる。
切込部３５によって分割された上端部３８は、野生動物１００によって引っ張られたり、よじ登られたりしても、外力を加えられた上端部３８の一部分のみを内側から外側の方向に撓ませることができる。言い換えると、上端部３８は、ねじり３１の軸方向と撓む方向とが同じ方向となるよう撓ませることができる。これにより、シート材３０は、外力を加えられた上端部３８の一部分のみを撓ませてシート材３０全体の破壊を防止することができる。さらに、シート材３０は、上端部３８を撓ませて返しとして機能することにより、野生動物１００による引っ張り又はよじ登りを防止することができる。
なお、上端部３８は、本発明に係る第２のシート材の一例である。
【００２３】
［結束部５０］
結束部５０は、例えば、ワイヤー、紐、ロープ、縄、粘着シート、又は、結束ひも等である。結束部５０は、筒状にしたシート材３０の端部分を互いに結束し筒状態を維持する。結束部５０は、例えば筒軸方向に筒状にしたシート材３０の端部分が位置する場合、シート材３０の筒軸方向に連続的（網目一つ一つ）に配置してもよいし、筒軸方向に既定の間隔をあけて部分的（既定の網目のみ）に配置してもよい。
このように、食害防止装置１は、シート材３０、下端部３４、切込部３５、上端部３８、切込部３９、及び、結束部５０を含み構成されている。
【００２４】
次に、実施例１の食害防止装置１の設置方法を説明する。
図３は、実施例１における食害防止装置１の設置方法（Ｓ１０）を説明するフローチャートである。
図３に例示するように、ステップ１００（Ｓ１００）において、設置者は、筒状に成形するシート材を形成する。設置者は、シート材３０を配置する植物１５０の幹の大きさ（直径）に合わせてシート材の大きさを適宜変更し形成する。
設置者は、植物１５０の幹の大きさ（直径）が約１０ｃｍである場合、筒状にしたシート材の直径が例えば２０ｃｍ〜３４ｃｍとなるよう、縦２ｍ×横６２ｃｍ〜１０６ｃｍの長方形形状に形成する。また、設置者は、植物１５０の幹の大きさ（直径）が約３０ｃｍである場合、筒状にしたシート材の直径が例えば４０ｃｍ〜５４ｃｍとなるよう、縦２ｍ×横１２５ｃｍ〜１６９ｃｍの長方形形状に形成する。また、設置者は、植物１５０の幹の大きさ（直径）が約１００ｃｍである場合、筒状にしたシート材の直径が例えば１１０ｃｍ〜１２４ｃｍとなるよう、縦２ｍ×横３４５ｃｍ〜３８９ｃｍの長方形形状に形成する。設置者は、シート材の横方向の大きさにおいて、複数定尺のシート材を継ぎ足して結束しながら伸張構成することができる。
なお、本実施例１において、設置者は、網状のシート材を、例えば縦２ｍ×横１ｍの長方形形状に形成する。
【００２５】
ステップ１０５（Ｓ１０５）において、設置者は、長方形状に形成したシート材の一対の対向する辺に切込部３５及び切込み部３９を形成する。本実施例１において、設置者は、ねじり３１の軸方向と同じ方向に切込部３５及び切込み部３９を形成する。
【００２６】
ステップ１１０（Ｓ１１０）において、設置者は、結束部５０によって長方形状に形成したシート材を筒状に成形する。具体的には、設置者は、ねじり３１の軸方向と筒軸方向とが同じ方向となるようシート材を筒状に成形する。また、設置者は、食害を防止する対象となる植物１５０の幹の外側を覆うようシート材を筒状にし、かつ、シート材と植物とが離間して移動可能となるよう配置する。
なお、設置者は、植物１５０の外側に筒状に配置（Ｓ１１０）したあとに、切込部３５及び切込み部３９を形成（Ｓ１０５）してもよい。
【００２７】
ステップ１１５（Ｓ１１５）において、設置者は、筒状に成形したシート材３０を設置面に設置する。設置者は、切込部３５に分割された下端部３４を筒状に成形したシート材３０の内側から外側の方向に撓ませた状態で、シート材３０を設置面に配置する。
このように、設置者は、食害防止装置１を植物１５０の外側に覆って設置することができる。
【００２８】
次に、実施例１の食害防止装置１の作用を説明する。
図４は、実施例１における食害防止装置１の作用を説明する図であり、図４（Ａ）は、野生動物１００がシート材３０の下端部３４を踏みつけた状態を例示する図であり、図４（Ｂ）は、野生動物１００がシート材３０の下端部３４を踏みつけ、かつ、上端部３８を引っ張る状態を例示する図である。また、図４（Ｃ）は、野生動物１００上端部３８を引っ張りながらシート材３０を登る状態を例示する図である。
図４（Ａ）に例示するように、まず、植物１５０に近づいた野生動物１００は、シート材３０の下端部３４を踏みつける。このとき、野生動物１００は、設置面に敷設された下端部３４を踏みつけているため、下端部３４と連続して繋がっているシート材３０を押して植物１５０に触れることができない。また、野生動物１００の種類によっては、踏みつけた下端部３４の網目が足に引っかかる、又は、踏みつけた下端部３４の網目によって足元が凹凸状となることにより、忌避することが期待できる。
次に、図４（Ｂ）に例示するように、野生動物１００は、立ち上がった状態で、シート材３０の上端部３８を引っ張る。食害防止装置１は、切込部３９を備えた上端部３８により、外力を加えられた上端部３８の一部分のみを内側から外側の方向に撓ませることができる。よって、食害防止装置１は、野生動物１００に外力を加えられても破壊されることはない。
また、野生動物１００は、シート材３０の網目に鼻口部分を入れて植物１５０を表皮を剥ぎとろうとしても、シート材３０の網目の大きさが鼻口部分の通らない大きさであるため、剥皮を防止することができる。また、野生動物１００は、シート材３０の網目に鼻口部分を通すことができても、鼻口部分を通した状態で口を開くことのできない大きさであるため、剥皮することができない。
次に、図４（Ｃ）に例示するように、野生動物１００は、シート材３０の上端部３８を引っ張り、シート材３０を登る。シート材３０は、移動自在の配置されているため、設置面から浮き上がり、野生動物１００の加えた外力方向（引っ張った方向）に倒れる。また、シート材３０は、野生動物１００の加えた外力により変形しシート材３０の破壊を防止する。
このように、食害防止装置１は、野生動物１００の足元に違和感を与えると共に、野生動物１００による食害を防止することができる。
【００２９】
以上説明したように、本実施例１における食害防止装置１は、可撓性を有し、筒状に成形したシート材３０と、筒状に成形したシート材３０の少なくとも一方の端部に設けられ、筒軸方向と同じ方向の切込み部分をシート材３０の周方向に複数備えた下端部３４とを含み構成されている。食害防止装置１は、シート材３０を植物１５０の外側を覆うよう植物１５０と離間して配置し、シート材３０の側壁面に動物の鼻口部分が入り込まない大きさの貫通孔を複数設けられている。
これにより、食害防止装置１は、植物１５０と接触しないよう植物の外側に配置されることにより、植物１５０の生長に伴う幹の拡大を妨げることなく配置することができる。また、食害防止装置１は、シート材３０の側壁面に貫通孔を複数設けることにより、植物１５０とシート材３０との風通し良く配置することができる。さらに、食害防止装置１は、野生動物１００の鼻口部分が入り込まない大きさの貫通孔であるため、野生動物１００によって貫通孔を介して植物１５０を食されることを防止することができる。
【００３０】
また、食害防止装置１は、筒状に成形したシート材３０の他方の端部に設けられ、筒軸方向と同じ方向の切込み部分をシート材３０の周方向に複数備えた上端部３８をさらに含み構成されている。下端部３４は、筒状のシート材３０の内側から外側の方向に撓ませた状態で設置面に配置され、上端部３８は、筒状の前記シート材の内側から外側の方向に撓むよう配置されている。
これにより、食害防止装置１は、切込み部分（切込部３５）により複数に分割された下端部３４を設置面の凹凸に沿うように下端部３４を配置することができる。また、食害防止装置１は、下端部３４を部分的に設置面から浮き上がることなく配置することができるため、野生動物１００がシート材３０と設置面との間に潜り込むことを防止することができる。また、食害防止装置１は、下端部３４をシート材３０に侵入する野生動物１００に踏ませることが期待できるため、野生動物１００に対する忌避効果を期待することができる。
また、食害防止装置１は、切込み部分（切込部３９）により複数に分割された上端部３８により、野生動物１００によって上端部３８の一部分に外力を加えられた場合であっても外力を加えられた部分のみを撓ませることで、シート材３０全体の破壊を防止することが期待できる。また、食害防止装置１は、上端部３８において外力を加えられた部分のみを撓ませることができるため、野生動物１００がシート材３０をよじ登ることを妨げることが期待できる。
【００３１】
また、食害防止装置１は、合成樹脂で構成された網材でシート材３０を構成し、具体的には可撓性を有する複数本の線状を複数回ねじり合せて構成している。食害防止装置１は、シート材３０の複数本の線状を複数回ねじり合せたねじり３１の軸方向と、下端部３４、及び、上端部３８の撓む方向とが同じ方向であることにより、撓ませても撓ませた状態から撓ませる前の状態に復元する高い復元力が期待できるため、耐久性を向上させることが期待できる。
【００３２】
また、食害防止装置１は、電気柵に比べて、設備費、電気代、メンテナンス費を抑えることができる。また、食害防止装置１は、電気柵のように電流を流すものでないため、専門的な知識がない設置者でも簡単に設置することができる。また、食害防止装置１は、電気柵のように設備不良による漏電等を心配する必要もない。
【００３３】
［実施例２］
次に、実施例２の食害防止装置２の構成を説明する。なお、実施例１の食害防止装置１と実質的に同一の機能、構成を有する要素については、同一の符号を付することにより重複説明を省略する。
図５は、実施例２における食害防止装置２の構成を説明する斜視図である。
図５に例示するように、食害防止装置２は、シート材３０、下端部３４、切込部３５、上端部３８、切込部３９、結束部５０、導電性部材６０、及び、電源装置７０を含み構成されている。
［導電性部材６０］
導電性部材６０は、シート材３０の側面の一部に設けられ、電流が流れる材料で構成されている。導電性部材６０は、上端部３８の側壁面に設けられている。
導電性部材６０は、導電性のある金属で構成され、線状（柵線）である場合、シート材３０の網目に通して編むように配置することで、シート材３０と一体的に配置される。また、導電性部材６０は、メッキ加工によりシート材３０の線条表面に塗布されてもよい。導電性のある金属とは、例えば、アルミニウム合金、鉄、又は、ステンレス鋼である。また、導電性部材６０は、シート材３０の一部を導電性のある合成樹脂材で構成してもよい。なお、シート材３０は、導電性部材６０を配置しない部分において、電気を通さない絶縁体であることが好適である。
【００３４】
［電源装置７０］
電源装置７０は、導電性部材６０と電気的に接続され、電流を流すよう電力を供給する装置である。電源装置７０は、電力を供給するための電線と、アース線とを備え、電線を導電性部材６０に接続し、アース線を設置面に配置されている。電源装置７０は、導電性部材６０に対して、太陽電池、蓄電池（乾電池、バッテリー）、又は、外部電源（商用電源）から供給された電力を供給する。なお、電源装置７０は、一般的な電気柵に用いられる既存の電源装置で実現される。
このように、食害防止装置２は、シート材３０、下端部３４、切込部３５、上端部３８、切込部３９、結束部５０、導電性部材６０、及び、電源装置７０を含み構成されている。
【００３５】
次に、実施例２の食害防止装置２の設置方法を説明する。
図６は、実施例２における食害防止装置２の設置方法（Ｓ２０）を説明するフローチャートである。
図６に例示するように、ステップ２００（Ｓ２００）において、設置者は、筒状に成形するシート材を形成する。
【００３６】
ステップ２０５（Ｓ２０５）において、設置者は、長方形状に形成したシート材の一対の対向する辺に切込部３５及び切込み部３９を形成する。本実施例１において、設置者は、ねじり３１の軸方向と同じ方向に切込部３５及び切込み部３９を形成する。
【００３７】
ステップ２１０（Ｓ２１０）において、設置者は、シート材３０に導電性部材６０を配置する。具体的には、設置者は、シート材３０の上端部３８に導電性部材６０を配置する。設置者は、導電性部材６０が導電性のある金属で構成され線状（柵線）である場合、上端部３８の網目に通して編むように配置する。また、設置者は、導電性部材６０が液体状の導電性のある金属で構成される場合、上端部３８にメッキ加工し線条表面に塗布し配置する。
【００３８】
ステップ２１５（Ｓ２１５）において、設置者は、結束部５０によって長方形状に形成したシート材を筒状に成形する。具体的には、設置者は、ねじり３１の軸方向と筒軸方向とが同じ方向となるようシート材を筒状に成形する。また、設置者は、食害を防止する対象となる植物１５０の幹の外側を覆うようシート材を筒状にし、かつ、シート材と植物とが離間して移動可能となるよう配置する。
なお、設置者は、植物１５０の外側に筒状に配置（Ｓ２１０）したあとに、切込部３５及び切込み部３９を形成（Ｓ２０５）してもよい。
【００３９】
ステップ２２０（Ｓ２２０）において、設置者は、筒状に成形したシート材３０を設置面に設置する。設置者は、切込部３５に分割された下端部３４を筒状に成形したシート材３０の内側から外側の方向に撓ませた状態で、シート材３０を設置面に配置する。
【００４０】
ステップ２２５（Ｓ２２５）において、設置者は、電源装置７０と、シート材３０の上端部３８に配置された導電性部材６０とを電線を用いて電気的に接続する。また、設置者は、電源装置７０と設置面とをアース線で接続する。
【００４１】
ステップ２３０（Ｓ２３０）において、設置者は、電源装置７０から導電性部材６０に電力を印加する。設置者は、電源装置７０の設定において、高電圧の微電流を断続的に流れるよう設定する（衝撃電流）。設置者は、人間が触れても衝撃を感じる程度の電圧に設定する。
このように、設置者は、食害防止装置２を植物１５０の外側に覆って設置することができる。本実施例２における食害防止装置２は、シート材３０の上端部３８の側壁面に導電性部材６０を配置することにより、シート材３０を登ろうとする野生動物１００に対して電気的な忌避効果が期待できる。また、シート材３０は、合成樹脂で構成されており電気を通さない絶縁体であるため、設置面近傍に漏電することを防止することができる。
【００４２】
以上説明したように、本実施例２における食害防止装置２は、シート材３０の側面の一部に設けられ、電流が流れる材料で構成された導電性部材６０をさらに含み構成されている。食害防止装置２は、シート材３０の上端部３８の側壁面にある導電性部材６０と電源装置７０とを電気的に接続し導電性部材６０に電圧を印加することにより、シート材３０を登ろうとする野生動物１００に対して忌避効果が期待できる。
また、食害防止装置２は、電流が流れにくい材料でシート材３０を構成することにより、設置面近傍に漏電することを防止することができる。
【００４３】
［実施例３］
次に、実施例３の食害防止装置３の構成を説明する。なお、実施例１及び実施例２に記載の食害防止装置と実質的に同一の機能、構成を有する要素については、同一の符号を付することにより重複説明を省略する。
図７は、実施例３における食害防止装置３の構成を説明する模式図である。図７（Ａ）は、間隔材９０を配置した食害防止装置３の構成を例示する図であり、図７（Ｂ）は、Ｙ−Ｙ線断面図であり、図７（Ｃ）は、Ｚ−Ｚ線断面図である。
図７に例示するようには、食害防止装置３は、シート材３０、下端部３４、切込部３５、上端部３８、切込部３９、結束部５０、間隔材９０を含み構成されている。
［間隔材９０］
間隔材９０は、シート材３０と植物１５０との間に配置され、シート材３０と植物１５０との間の距離を既定の間隔に維持している。間隔材９０は、弾性部材で構成されており、復元力のある部材であるならばとくに限定しないが、例えば中実材、中空材（パイプ材）、筒状にした網材、バネ材、または、スポンジである。なお、本実施例３の間隔材９０は、合成樹脂（ポリエチレン）製のパイプ材である。
図７（Ａ）に例示するように、間隔材９０は、間隔材９０ａと間隔材９０ｂとの２種類の間隔材９０を備えている。間隔材９０ａと間隔材９０ｂとは、互いに異なる太さである。間隔材９０ａは、間隔材９０ｂより直径が小さく構成されている。また、間隔材９０ｂは、間隔材９０ａより直径が大きく構成されている。
図７（Ｂ）に例示するように、間隔材９０ａは、筒状のシート材３０の筒軸方向と直交する方向に配置されている。間隔材９０ａは、筒状のシート材３０を貫通し、貫通した両端をシート材３０に固定されている。間隔材９０ａは、植物１５０を囲むよう複数配置されている。本実施例３の間隔材９０ａは、植物１５０を囲むよう例えば４本４か所に配置されている。間隔材９０ａは、植物１５０を囲むよう複数配置することにより、野生動物１００に外力を加えられても、植物１５０とシート材３０との離間距離を維持することができる。
また、図７（Ｃ）に例示するように、間隔材９０ｂは、筒状のシート材３０の筒軸方向と同じ方向に配置されている。また、間隔材９０ｂは、筒状のシート材３０の内側に、植物１５０を囲むよう複数配置されている。本実施例３の間隔材９０ｂは、植物１５０を囲むよう例えば４本４か所に配置されている。間隔材９０ｂは、植物１５０を囲むよう複数配置ことにより、野生動物１００に外力を加えられても、植物１５０とシート材３０との離間距離を維持することができる。
なお、間隔材９０は、間隔材９０ａ、及び、間隔材９０ｂの少なくとも一方を配置することができる。
このように、食害防止装置３は、シート材３０、下端部３４、切込部３５、上端部３８、切込部３９、結束部５０に加えて、間隔材９０を含み構成されている。
【００４４】
次に、本実施例３の食害防止装置３の作用効果を説明する。
図８は、実施例３における食害防止装置３の作用を説明する模式図である。図８（Ａ）は、野生動物１００がシート材３０を引っ張る状態を例示する図であり、図８（Ｂ）は、野生動物１００がシート材３０を引っ張った後の状態を例示する図である。
図８（Ａ）に例示するように、野生動物１００は、シート材３０を引っ張る。このとき、間隔材９０は、シート材３０とともに、野生動物１００により加えられた外力によって変形する。
次に、図８（Ａ）に例示するように、野生動物１００は、シート材３０を引っ張ることを止める。引っ張ることを止めることにより、野生動物１００により加えられた外力が解消するため、間隔材９０の形状は、シート材３０とともに変形前の形状に復元する。また、間隔材９０は、変形前の形状に復元するため、シート材３０と植物１５０との間隔を変えることなく変形前の位置にシート材３０を配置することができる。
このように、食害防止装置３は、間隔材９０により、移動自在にシート材３０を配置しても、野生動物１００に外力を加えられる前の位置にシート材３０を配置することができる。よって、シート材３０と植物１５０との離間間隔を維持することができる。
以上、本発明に係る実施形態について説明したが、これらに限定されるものではなく、発明の趣旨を逸脱しない範囲内において、種々の変更、追加等が可能である。
【００４５】
［変形例］
次に、本実施例における変形例を説明する。
上記実施形態では、一枚のシート材３０を筒状に成形し、植物１５０と離間した状態で植物１５０の外側を覆うよう配置する場合を説明したが、複数枚のシート材を接続し、１枚のシート材３０とし筒状に成形してもよい。
また、筒状に成形した直径の異なる複数のシート材３０を、順に重ねて入れ子状となるよう配置してもよい。
【符号の説明】
【００４６】
１、２      食害防止装置
３０        シート材
３１        ねじり
３４        下端部
３８        上端部
３５、３９  切込部
５０        結束部
６０        導電性部材
７０        電源装置
【図１】
2017205075.tif 000003
【図２】
2017205075.tif 000004
【図３】
2017205075.tif 000005
【図４】
2017205075.tif 000006
【図５】
2017205075.tif 000007
【図６】
2017205075.tif 000008
【図７】
2017205075.tif 000009
【図８】
2017205075.tif 000010